(57)【要約】【課題】スクラッチクジの表面層で隠していた情報を二次元バーコードに置き換えても、全ての二次元コードを読み取らなくても抽選が行えることを最低限の課題とし、さらには一度抽選したものは再び抽選できないようにすることを課題とする。【解決手段】複数の二次元バーコードが配列されたクジであって、それぞれの二次元バーコードはクジごとにユニークであり、何れか一つの二次元バーコードでクジが唯一に特定されることを特徴とするクジ。。【選択図】図１
2010124849.tif 000002
【特許請求の範囲】
【請求項１】
複数の二次元バーコードが配列されたクジであって、それぞれの二次元バーコードはクジごとにユニークであり、何れか一つの二次元バーコードでクジが唯一に特定されることを特徴とするクジ。
【請求項２】
複数の二次元バーコードが配列されたクジであって、それぞれの二次元バーコードはクジごとにユニークであり、何れか一つの二次元バーコードでクジが唯一に特定されるクジを利用するための、ネットワークを介してカメラ付携帯電話機に接続され、クジごとに二次元バーコードの配列パターンの情報と当たりの二次元バーコードの配列パターンの情報とを格納するデータベースを有するサーバであって、
カメラ付携帯電話機から、このカメラ付携帯電話機で読み取られたクジの何れか一つの二次元バーコードを電子メールで受け取る受取手段と、
受け取った二次元バーコードで特定されるクジの二次元バーコードの配列パターンの情報と、当たりの二次元バーコードの配列パターンの情報とをデータベースから読み出して比較することにより、このクジの抽選を行って、抽選結果を電子メールで返信する抽選手段とを備えることを特徴とするサーバ。
【請求項３】
前記データベースは、クジごとに抽選した人の情報も格納し、
前記受取手段は、カメラ付携帯電話機から、このカメラ付携帯電話機で読み取られたクジの何れか一つの二次元バーコードと共に、このクジの所持者の情報も電子メールで受け取り、
受け取った二次元データで特定されるクジについて、抽選した人の情報をデータベースから読み出すことを試み、読み出せたか否かで既に抽選が行われていたか否かを判断する手段と、
既に抽選が行われていた場合、既に抽選が行われ再び抽選することはできないことを告げる電子メールを返信する手段と、
未だ抽選が行われていない場合、受け取ったクジの所持者の情報を抽選した人の情報としてデータベースに格納する手段とを備え、
前記抽選手段は、未だ抽選が行われていない場合のみ、受け取った二次元バーコードで特定されるクジの二次元バーコードの配列パターンの情報と、当たりの配列パターンの情報とをデータベースから読み出して比較することにより、このクジの抽選を行って、抽選結果を電子メールで返信することを特徴とする請求項２記載のサーバ。
【請求項４】
前記サーバはネットワークを介して景品交換所の二次元バーコードリーダを有する端末にも接続され、
端末から、この端末が有する二次元バーコードリーダで読み取られたクジの何れか一つの二次元バーコードを受け取る手段と、
受け取った二次元バーコードで特定されるクジについて、抽選した人の情報をデータベースから読み出す手段と、
受け取った二次元バーコードで特定されるクジの二次元バーコードの配列パターンの情報と、当たりの二次元バーコードの配列パターンの情報とを、データベースから読み出して比較することにより、このクジの抽選結果を確認する手段と、
抽選した人の情報と、抽選結果とを端末に送る手段とを備えることを特徴とする請求項３に記載のサーバ。
【請求項５】
抽選した人の情報は、この人の電子メールアドレスを含み、
既に抽選が行われていた場合、抽選した人の情報に基づいて、抽選した人に、クジの所持者の情報と、このクジの所持者が抽選しようとしたこととを告げる電子メールを送る手段を備えることを特徴とする請求項３又は４に記載のサーバ。
【請求項６】
複数の二次元バーコードが配列されたクジであって、それぞれの二次元バーコードはクジごとにユニークであり、何れか一つの二次元バーコードでクジが唯一に特定されるクジを利用するための、ネットワークを介してカメラ付携帯電話機に接続され、クジごとに二次元バーコードの配列パターンの情報と当たりの二次元バーコードの配列パターンの情報とを格納するデータベースを有するサーバが実行する方法であって、
カメラ付携帯電話機から、このカメラ付携帯電話機で読み取られたクジの何れか一つの二次元バーコードを電子メールで受け取る受取工程と、
受け取った二次元バーコードで特定されるクジの二次元バーコードの配列パターンの情報と、当たりの二次元バーコードの配列パターンの情報とをデータベースから読み出して比較することにより、このクジの抽選を行って、抽選結果を電子メールで返信する抽選工程とを含むことを特徴とする方法。
【請求項７】
前記データベースは、クジごとに抽選した人の情報も格納し、
前記受取工程で、カメラ付携帯電話機から、このカメラ付携帯電話機で読み取られたクジの何れか一つの二次元バーコードと共に、このクジの所持者の情報も電子メールで受け取り、
受け取った二次元データで特定されるクジについて、抽選した人の情報をデータベースから読み出すことを試み、読み出せたか否かで既に抽選が行われていたか否かを判断する工程と、
既に抽選が行われていた場合、既に抽選が行われ再び抽選することはできないことを告げる電子メールを返信する工程と、
未だ抽選が行われていない場合、受け取ったクジの所持者の情報を抽選した人の情報としてデータベースに格納する工程と、
未だ抽選が行われていない場合のみ、前記抽選工程とを含むことを特徴とする請求項６記載の方法。
【請求項８】
前記サーバはネットワークを介して景品交換所の二次元バーコードリーダを有する端末にも接続され、
端末から、この端末が有する二次元バーコードリーダで読み取られたクジの何れか一つの二次元バーコードを受け取る工程と、
受け取った二次元バーコードで特定されるクジについて、抽選した人の情報をデータベースから読み出す工程と、
受け取った二次元バーコードで特定されるクジの二次元バーコードの配列パターンの情報と、当たりの二次元バーコードの配列パターンの情報とを、データベースから読み出して比較することにより、このクジの抽選結果を確認する工程と、
抽選した人の情報と、抽選結果とを端末に送る工程とを含むことを特徴とする請求項７に記載の方法。
【請求項９】
抽選した人の情報は、この人の電子メールアドレスを含み、
既に抽選が行われていた場合、抽選した人の情報に基づいて、抽選した人に、クジの所持者の情報と、このクジの所持者が抽選しようとしたこととを告げる電子メールを送る工程を含むことを特徴とする請求項７又は８に記載の方法。
【請求項１０】
複数の二次元バーコードが配列されたクジであって、それぞれの二次元バーコードはクジごとにユニークであり、何れか一つの二次元バーコードでクジが唯一に特定されるクジを利用するための、ネットワークを介してカメラ付携帯電話機に接続され、クジごとに二次元バーコードの配列パターンの情報と当たりの二次元バーコードの配列パターンの情報とを格納するデータベースを有するサーバに、
カメラ付携帯電話機から、このカメラ付携帯電話機で読み取られたクジの何れか一つの
二次元バーコードを電子メールで受け取る受取工程と、
受け取った二次元バーコードで特定されるクジの二次元バーコードの配列パターンの情報と、当たりの二次元バーコードの配列パターンの情報とをデータベースから読み出して比較することにより、このクジの抽選を行って、抽選結果を電子メールで返信する抽選工程とを実行させることを特徴とするプログラム。
【請求項１１】
前記データベースは、クジごとに抽選した人の情報も格納し、
前記受取工程は、カメラ付携帯電話機から、このカメラ付携帯電話機で読み取られたクジの何れか一つの二次元バーコードと共に、このクジの所持者の情報も電子メールで受け取り、
受け取った二次元データで特定されるクジについて、抽選した人の情報をデータベースから読み出すことを試み、読み出せたか否かで既に抽選が行われていたか否かを判断する工程と、
既に抽選が行われていた場合、既に抽選が行われ再び抽選することはできないことを告げる電子メールを返信する工程と、
未だ抽選が行われていない場合、受け取ったクジの所持者の情報を抽選した人の情報としてデータベースに格納する工程と、
未だ抽選が行われていない場合のみ、前記抽選工程とを実行させることを特徴とする請求項１０記載のプログラム。
【請求項１２】
前記サーバはネットワークを介して景品交換所の二次元バーコードリーダを有する端末にも接続され、
端末から、この端末が有する二次元バーコードリーダで読み取られたクジの何れか一つの二次元バーコードを受け取る工程と、
受け取った二次元バーコードで特定されるクジについて、抽選した人の情報をデータベースから読み出す工程と、
受け取った二次元バーコードで特定されるクジの二次元バーコードの配列パターンの情報と、当たりの二次元バーコードの配列パターンの情報とを、データベースから読み出して比較することにより、このクジの抽選結果を確認する工程と、
抽選した人の情報と、抽選結果とを端末に送る工程とを実行させることを特徴とする請求項１１に記載のプログラム。
【請求項１３】
抽選した人の情報は、この人の電子メールアドレスを含み、
既に抽選が行われていた場合、抽選した人の情報に基づいて、抽選した人に、クジの所持者の情報と、このクジの所持者が抽選しようとしたこととを告げる電子メールを送る工程を実行させることを特徴とする請求項１１又は１２に記載のプログラム。
【発明の詳細な説明】
【技術分野】
【０００１】
本発明は、クジ、このクジを利用するためのサーバ、方法及びプログラムに関する。
に関する。
【背景技術】
【０００２】
従来から、カメラ付携帯電話機で撮影されたＱＲコード等の二次元バーコードをネットワークを介して受け取り、この二次元バーコードをデコードして、このカメラ付携帯電話機に送信すべき情報を選択して送信するサーバが知られている（特許文献１参照）。
【０００３】
また従来から、端末から、ネットワークを介して、宝くじ券に割り当てられたくじ番号の一部を登録させ、一部の番号が登録された宝くじで当選の可能性のある場合、その登録を行ったユーザに、当選照合を促す宝くじ照合管理装置が知られている（特許文献２参照）。
【０００４】
また従来から、表面層によって隠蔽された情報が複数配列され、表面層を削ることにより抽選を行うスクラッチクジが知られている。
【０００５】
しかし、スクラッチクジでは、当たり外れを確認するために表面層を削るので、ゴミが出てしまう。そのため、表面層で隠していた情報を、一目見ただけでは分からないＱＲコード等の二次元バーコードに置き換えることが考えられた。
【特許文献１】特開２００５−１９０２３１号公報
【特許文献２】特開２００７−９５０００号公報
【発明の開示】
【発明が解決しようとする課題】
【０００６】
従来のスクラッチクジは、表面層を削り取れば、直ぐに当たり外れを確認することができる。しかしながら、スクラッチクジの表面層で隠していた情報を単に二次元バーコードに置き換えた場合、当たり外れを確認するために、全ての二次元バーコードを読み取り、読み取り後にネットワークを介してサーバに送信する必要があるため、ユーザの操作が煩雑となったり、二次元バーコードを全部読み取らずにに送信したり、送信するのを忘れることがあり、クジの購入者には不利益が生じることもある。
【０００７】
また、スクラッチクジの表面層で隠していた情報を単に二次元バーコードに置き換えた場合、このクジの購入者が、二次元バーコードの一部を読み取った後に、クジを無くした場合、クジの購入者は、読み取った一部の二次元バーコードだけしか送信できず、当選確率が下がることがある。
【０００８】
また、スクラッチクジの表面層で隠していた情報を単に二次元バーコードに置き換えた場合、このクジを拾った人が、二次元バーコードを読み取って抽選に応募することもある。
【０００９】
そこで本発明は、スクラッチクジの表面層で隠していた情報を二次元バーコードに置き換えても、全ての二次元コードを読み取らなくても抽選が行えることを最低限の課題とし、さらには一度抽選したものは再び抽選できないようにすることを課題とする。
【課題を解決するための手段】
【００１０】
本発明において上記課題を解決するために、まず請求項１の発明では、複数の二次元バーコードが配列されたクジであって、それぞれの二次元バーコードはクジごとにユニークであり、何れか一つの二次元バーコードでクジが唯一に特定されることを特徴とするクジとしたものである。
【００１１】
また請求項２の発明では、複数の二次元バーコードが配列されたクジであって、それぞれの二次元バーコードはクジごとにユニークであり、何れか一つの二次元バーコードでクジが唯一に特定されるクジを利用するための、ネットワークを介してカメラ付携帯電話機に接続され、クジごとに二次元バーコードの配列パターンの情報と当たりの二次元バーコードの配列パターンの情報とを格納するデータベースを有するサーバであって、
カメラ付携帯電話機から、このカメラ付携帯電話機で読み取られたクジの何れか一つの二次元バーコードを電子メールで受け取る受取手段と、
受け取った二次元バーコードで特定されるクジの二次元バーコードの配列パターンの情報と、当たりの二次元バーコードの配列パターンの情報とをデータベースから読み出して比較することにより、このクジの抽選を行って、抽選結果を電子メールで返信する抽選手段とを備えることを特徴とするサーバとしたものである。
【００１２】
また請求項３の発明では、前記データベースは、クジごとに抽選した人の情報も格納し、
前記受取手段は、カメラ付携帯電話機から、このカメラ付携帯電話機で読み取られたクジの何れか一つの二次元バーコードと共に、このクジの所持者の情報も電子メールで受け取り、
受け取った二次元データで特定されるクジについて、抽選した人の情報をデータベースから読み出すことを試み、読み出せたか否かで既に抽選が行われていたか否かを判断する手段と、
既に抽選が行われていた場合、既に抽選が行われ再び抽選することはできないことを告げる電子メールを返信する手段と、
未だ抽選が行われていない場合、受け取ったクジの所持者の情報を抽選した人の情報としてデータベースに格納する手段とを備え、
前記抽選手段は、未だ抽選が行われていない場合のみ、受け取った二次元バーコードで特定されるクジの二次元バーコードの配列パターンの情報と、当たりの配列パターンの情報とをデータベースから読み出して比較することにより、このクジの抽選を行って、抽選結果を電子メールで返信することを特徴とする請求項２記載のサーバとしたものである。
【００１３】
また請求項４の発明では、前記サーバはネットワークを介して景品交換所の二次元バーコードリーダを有する端末にも接続され、
端末から、この端末が有する二次元バーコードリーダで読み取られたクジの何れか一つの二次元バーコードを受け取る手段と、
受け取った二次元バーコードで特定されるクジについて、抽選した人の情報をデータベースから読み出す手段と、
受け取った二次元バーコードで特定されるクジの二次元バーコードの配列パターンの情報と、当たりの二次元バーコードの配列パターンの情報とを、データベースから読み出して比較することにより、このクジの抽選結果を確認する手段と、
抽選した人の情報と、抽選結果とを端末に送る手段とを備えることを特徴とする請求項３に記載のサーバとしたものである。
【００１４】
また請求項５の発明では、抽選した人の情報は、この人の電子メールアドレスを含み、
既に抽選が行われていた場合、抽選した人の情報に基づいて、抽選した人に、クジの所持者の情報と、このクジの所持者が抽選しようとしたこととを告げる電子メールを送る手
段を備えることを特徴とする請求項３又は４に記載のサーバとしたものである。
【００１５】
また請求項６の発明では、複数の二次元バーコードが配列されたクジであって、それぞれの二次元バーコードはクジごとにユニークであり、何れか一つの二次元バーコードでクジが唯一に特定されるクジを利用するための、ネットワークを介してカメラ付携帯電話機に接続され、クジごとに二次元バーコードの配列パターンの情報と当たりの二次元バーコードの配列パターンの情報とを格納するデータベースを有するサーバが実行する方法であって、
カメラ付携帯電話機から、このカメラ付携帯電話機で読み取られたクジの何れか一つの二次元バーコードを電子メールで受け取る受取工程と、
受け取った二次元バーコードで特定されるクジの二次元バーコードの配列パターンの情報と、当たりの二次元バーコードの配列パターンの情報とをデータベースから読み出して比較することにより、このクジの抽選を行って、抽選結果を電子メールで返信する抽選工程とを含むことを特徴とする方法としたものである。
【００１６】
また請求項７の発明では、前記データベースは、クジごとに抽選した人の情報も格納し、
前記受取工程で、カメラ付携帯電話機から、このカメラ付携帯電話機で読み取られたクジの何れか一つの二次元バーコードと共に、このクジの所持者の情報も電子メールで受け取り、
受け取った二次元データで特定されるクジについて、抽選した人の情報をデータベースから読み出すことを試み、読み出せたか否かで既に抽選が行われていたか否かを判断する工程と、
既に抽選が行われていた場合、既に抽選が行われ再び抽選することはできないことを告げる電子メールを返信する工程と、
未だ抽選が行われていない場合、受け取ったクジの所持者の情報を抽選した人の情報としてデータベースに格納する工程と、
未だ抽選が行われていない場合のみ、前記抽選工程とを含むことを特徴とする請求項６記載の方法としたものである。
【００１７】
また請求項８の発明では、前記サーバはネットワークを介して景品交換所の二次元バーコードリーダを有する端末にも接続され、
端末から、この端末が有する二次元バーコードリーダで読み取られたクジの何れか一つの二次元バーコードを受け取る工程と、
受け取った二次元バーコードで特定されるクジについて、抽選した人の情報をデータベースから読み出す工程と、
受け取った二次元バーコードで特定されるクジの二次元バーコードの配列パターンの情報と、当たりの二次元バーコードの配列パターンの情報とを、データベースから読み出して比較することにより、このクジの抽選結果を確認する工程と、
抽選した人の情報と、抽選結果とを端末に送る工程とを含むことを特徴とする請求項７に記載の方法としたものである。
【００１８】
また請求項９の発明では、抽選した人の情報は、この人の電子メールアドレスを含み、
既に抽選が行われていた場合、抽選した人の情報に基づいて、抽選した人に、クジの所持者の情報と、このクジの所持者が抽選しようとしたこととを告げる電子メールを送る工程を含むことを特徴とする請求項７又は８に記載の方法としたものである。
【００１９】
また請求項１０の発明では、複数の二次元バーコードが配列されたクジであって、それぞれの二次元バーコードはクジごとにユニークであり、何れか一つの二次元バーコードでクジが唯一に特定されるクジを利用するための、ネットワークを介してカメラ付携帯電話
機に接続され、クジごとに二次元バーコードの配列パターンの情報と当たりの二次元バーコードの配列パターンの情報とを格納するデータベースを有するサーバに、
カメラ付携帯電話機から、このカメラ付携帯電話機で読み取られたクジの何れか一つの二次元バーコードを電子メールで受け取る受取工程と、
受け取った二次元バーコードで特定されるクジの二次元バーコードの配列パターンの情報と、当たりの二次元バーコードの配列パターンの情報とをデータベースから読み出して比較することにより、このクジの抽選を行って、抽選結果を電子メールで返信する抽選工程とを実行させることを特徴とするプログラムとしたものである。
【００２０】
また請求項１１の発明では、前記データベースは、クジごとに抽選した人の情報も格納し、
前記受取工程は、カメラ付携帯電話機から、このカメラ付携帯電話機で読み取られたクジの何れか一つの二次元バーコードと共に、このクジの所持者の情報も電子メールで受け取り、
受け取った二次元データで特定されるクジについて、抽選した人の情報をデータベースから読み出すことを試み、読み出せたか否かで既に抽選が行われていたか否かを判断する工程と、
既に抽選が行われていた場合、既に抽選が行われ再び抽選することはできないことを告げる電子メールを返信する工程と、
未だ抽選が行われていない場合、受け取ったクジの所持者の情報を抽選した人の情報としてデータベースに格納する工程と、
未だ抽選が行われていない場合のみ、前記抽選工程とを実行させることを特徴とする請求項１０記載のプログラムとしたものである。
【００２１】
また請求項１２の発明では、前記サーバはネットワークを介して景品交換所の二次元バーコードリーダを有する端末にも接続され、
端末から、この端末が有する二次元バーコードリーダで読み取られたクジの何れか一つの二次元バーコードを受け取る工程と、
受け取った二次元バーコードで特定されるクジについて、抽選した人の情報をデータベースから読み出す工程と、
受け取った二次元バーコードで特定されるクジの二次元バーコードの配列パターンの情報と、当たりの二次元バーコードの配列パターンの情報とを、データベースから読み出して比較することにより、このクジの抽選結果を確認する工程と、
抽選した人の情報と、抽選結果とを端末に送る工程とを実行させることを特徴とする請求項１１に記載のプログラムとしたものである。
【００２２】
また請求項１３の発明では、抽選した人の情報は、この人の電子メールアドレスを含み、
既に抽選が行われていた場合、抽選した人の情報に基づいて、抽選した人に、クジの所持者の情報と、このクジの所持者が抽選しようとしたこととを告げる電子メールを送る工程を実行させることを特徴とする請求項１１又は１２に記載のプログラムとしたものである。
【発明の効果】
【００２３】
請求項１、２、６、１０に係る発明は、クジに配列されている二次元コードの何れか一つを読み取るだけで抽選が行えるという効果がある。
【００２４】
請求項３、７、１１に係る発明は、一度抽選したクジは再び抽選できないようにすることができるという効果がある。そのため、クジの購入者など、このクジの正当な所持者が、このクジの抽選を行った後に紛失しても、このクジを拾った人は抽選を行えない。
【００２５】
請求項４、８、１２に係る発明は、景品交換所に景品交換に来たクジの所持者が、このクジを抽選した人であるか否か、このクジが当たりか外れかを、この景品交換所が確認できるという効果がある。
【００２６】
請求項５、８、１３に係る発明は、クジを抽選した人に、このクジを再び抽選しようとした人の情報を伝えられるという効果がある。そのため、クジの購入者など、このクジの正当な所持者が、このクジの抽選を行った後に紛失して、このクジを拾った人が、このクジの抽選を行おうとした場合、このクジの正当な所持者に、このクジを拾った人の情報を伝えることができる。
【発明を実施するための最良の形態】
【００２７】
以下に、本発明の最良の一実施形態を説明する。
【００２８】
本発明のクジは、複数の二次元バーコードが配列され、それぞれの二次元バーコードはクジごとにユニークであり、何れか一つの二次元バーコードでクジが唯一に特定されるものである。図１に、二次元バーコードがＱＲコードである場合の本発明のクジの例を示す。図１に示すクジでは、少なくとも複数のＱＲコードが縦横に印刷により配列されたカードであって、それぞれのＱＲコードはクジごとにユニークであり、何れか一つのＱＲコードでクジが唯一に特定されるものである。
【００２９】
本発明のクジを利用するためのシステムは、図２に示すように、カメラ付携帯電話機と、景品交換所の二次元バーコードリーダを有する端末と、データベースを有するサーバとを備え、これらカメラ付携帯電話機と端末とサーバとが、携帯電話網やインターネット等のネットワークに接続されるものである。
【００３０】
データベースには、少なくとも、クジごとに、二次元バーコードの配列パターンの情報が格納される。また、抽選済みのクジについては、抽選した人の情報も、データベースに格納される。
【００３１】
またデータベースには、当たりの二次元バーコードの配列パターンの情報が格納される。
【００３２】
以下に、クジの抽選に係る処理の流れの例を、図３のフローチャートに従って説明する。
【００３３】
Ｓ（ＳＴＥＰ）１；
クジの所持者は、自分のカメラ付携帯電話機にて、クジに配列されている二次元バーコードの何れか一つを読み取る。
【００３４】
クジの所持者は、クジの購入者とは限らない。例えば、クジの購入者が、このクジを紛失した場合、このクジを拾った人も、クジの所持者になり得る。
【００３５】
Ｓ（ＳＴＥＰ）２；
クジの所持者は、自分のカメラ付携帯電話機にて、読み取った二次元バーコードを、このクジの所持者の情報と一緒に電子メールでサーバに送信する。
【００３６】
クジの所持者の情報は、例えば、このクジの所持者の電子メールアドレスを含む。また、またサーバの電子メールアドレスは、例えば、クジに印刷してあるものをクジの所持者が入力しても良いし。或いは、二次元バーコードの一部に含ませておき、カメラ付携帯電話機にてデコードしたものを用いても良い。
【００３７】
Ｓ（ＳＴＥＰ）３；
サーバは、二次元バーコードと、クジの所持者の情報とを電子メールで受け取る。
【００３８】
Ｓ（ＳＴＥＰ）４；
サーバは、受け取った二次元バーコードで特定されるクジについて、抽選した人の情報をデータベースから読み出すことを試み、読み出せたか否かで、既に抽選が行われていたか否か判断する。
【００３９】
Ｓ（ＳＴＥＰ）５；
既に抽選が行われていた場合は、ＳＴＥＰ６に進み、
未だ抽選が行われていない場合は、ＳＴＥＰ８に進む。
【００４０】
Ｓ（ＳＴＥＰ）６；
サーバは、既に抽選が行われ再び抽選することはできないことを告げる電子メールを、クジの所持者に送り、このクジの所持者は、この電子メールを、自分のカメラ付携帯電話機で閲覧する。
【００４１】
Ｓ（ＳＴＥＰ）７；
サーバは、抽選した人の情報に基づいて、抽選した人に、クジの所持者の情報と、このクジの所持者が抽選しようとしたこととを告げる電子メールを送り、抽選した人は、この電子メールを、自分のカメラ付携帯電話機で閲覧する。
【００４２】
Ｓ（ＳＴＥＰ）８；
サーバは、受け取ったクジの所持者の情報を、抽選した人の情報として、データベースに格納する。
【００４３】
Ｓ（ＳＴＥＰ）９；
サーバは、受け取った二次元バーコードで特定されるクジの二次元バーコードの配列パターンの情報と、当たりの二次元バーコードの配列パターンの情報とを、データベースから読み出して比較することにより、このクジの抽選を行う。
【００４４】
Ｓ（ＳＴＥＰ）１０
当たりの場合は、ＳＴＥＰ１１に進み、
外れの場合は、ＳＴＥＰ１２に進む。
【００４５】
Ｓ（ＳＴＥＰ）１１；
サーバは、クジが当たったを告げる電子メールを、クジの所持者に送り、クジの所持者は、この電子メールを、自分のカメラ付携帯電話機で閲覧する。
【００４６】
Ｓ（ＳＴＥＰ）１２；
サーバは、クジが外れたことを告げる電子メールを、クジの所持者に送り、クジの所持者は、この電子メールを、自分のカメラ付携帯電話機で閲覧する。
【００４７】
以下に、景品交換に係る処理の流れの例を、図４のフローチャートに従って説明する。
【００４８】
Ｓ（ＳＴＥＰ）１；
景品交換所は、クジの所持者から、このクジを受け取り、このクジに配列されている二次元バーコードの何れか一つを二次元バーコードリーダで読み取り、端末に入力する。
【００４９】
Ｓ（ＳＴＥＰ）２；
端末は、入力された二次元バーコードを、サーバに送る。
【００５０】
Ｓ（ＳＴＥＰ）３；
サーバは、二次元バーコードを受け取る。
【００５１】
Ｓ（ＳＴＥＰ）４；
サーバは、受け取った二次元バーコードで特定されるクジについて、抽選した人の情報をデータベースから読み出す。
【００５２】
Ｓ（ＳＴＥＰ）５；
サーバは、受け取った二次元バーコードで特定されるクジの二次元バーコードの配列パターンの情報と、当たりの二次元バーコードの配列パターンの情報とを、データベースから読み出して比較することにより、このクジの抽選結果を確認する。
【００５３】
Ｓ（ＳＴＥＰ）６；
サーバは、抽選した人の情報と、抽選結果とを端末に送る。
【００５４】
Ｓ（ＳＴＥＰ）７；
端末は、抽選した人の情報と、抽選結果とを受け取って、表示する。
【００５５】
Ｓ（ＳＴＥＰ）８；
景品交換所は、抽選した人の情報に基づいて、クジを所持する人が抽選した人であるか否かを確認し、クジを所持する人が抽選した人であり、抽選結果が当たりの場合のみ、クジと景品とを交換する。
【図面の簡単な説明】
【００５６】
【図１】二次元バーコードがＱＲコードである場合の本発明のクジの例を示す図。
【図２】本発明のクジを利用するためのシステムのハードウェア構成例を示す図。
【図３】クジの抽選に係る処理の流れの例を示すフローチャート。
【図４】景品交換に係る処理の流れの例を示すフローチャート。
【図１】
2010124849.tif 000003
【図２】
2010124849.tif 000004
【図３】
2010124849.tif 000005
【図４】
2010124849.tif 000006